(57)【要約】      （修正有）【課題】トイレ貯水タンク内水洗トイレ用殺菌・洗浄装置のような水中または液体中に設置する装置又は容器で装置内又は容器内の液体を装置外又は容器外に水位が下がった時放出し水位又は水圧が上がった時装置外又は容器外の液体から給入したいと共に装置内液体と装置外液体とが混ざり合わないようする。【解決手段】特殊形状パイプはトイレ貯水タンク内水洗トイレ用殺菌・洗浄装置のような水中または液体中に設置する装置又は容器に図のように組み込み液体の流出入を水位又は水圧によって行ない、相互液の遮断を弁、バルブ等を設けずに特殊形状パイプ内で空気の遮断によって行なう。【選択図】図１
2009084977.tif 000002
【特許請求の範囲】
【請求項１】
互いに隔離された系から構成される２液相系または２液複数相系または多液複数相系においてそれらの系への液体の流入、排出に際して液体の液面または液圧の変化を利用して行い、液体の流入、排出の停止・平衡時にはその対象系の液体を気体によって遮断する仕組みを持つことを特徴とする特殊形状パイプ。
【請求項２】
トイレ貯水タンク内トイレ用殺菌・洗浄装置（特願２００７−１０８２０７に代表される装置等）を互いに隔離された系とする請求項１の特殊形状パイプ。
【請求項３】
気体を空気とする請求項  1、請求項  2の特殊形状パイプ。
【請求項４】
トイレ貯水タンク内水洗トイレ用殺菌・洗浄装置（特願２００７−１０８２０７）のような液体中に設置する装置又は容器（以後装置と容器を合わせて装置という）において装置内の液体の流出と装置外からの液体の流入を水位又は水圧の変化を利用して行う特殊形状パイプで、装置内の液体と装置外の液体を弁・バルブ等を設置せず空気によって遮断し混合しない仕組みを持つことを特徴とする特殊形状パイプ。
【請求項５】
液体に浮遊又は水没、半水没の状態で設置（又は使用）する装置で、水位や水圧の変化を利用して装置内の液体を装置外へ流出及び装置外の液体を装置内に流入するに際し、装置内の液と装置外の液を空気によって遮断することを特徴とする特殊形状パイプ。
【発明の詳細な説明】
【背景技術】
【０００１】
本発明は、水洗トイレのトイレ貯水タンク及び便器に自動で殺菌水及び洗浄水を供給する水洗トイレ用殺菌・洗浄装置のような液体相または液体槽の中で動作する装置の給排水または液体の流出入に関するものである。
【特許文献１】特開２００６−２０７３２８
【特許文献２】特願２００７−１０８２０７
【０００２】
水洗トイレ用殺菌・洗浄装置を例にとるとトイレ貯水タンクに水洗トイレ用殺菌・洗浄装置を取り付け作動させると電気分解により強酸性電解水と強アルカリ性電解水が生成するが、水洗トイレ用殺菌・洗浄装置は強酸性電解水と強アルカリ性電解水を次項０００３の理由で別々に放出する必要がある。
【０００３】
強酸性電解水で便器、配管を殺菌、消臭し、強アルカリ性電解水でトイレ貯水タンク内を洗浄する目的のため強酸性電解水と強アルカリ性電解水を別々に且つ時間差をつけて放出する必要があると共に、放出されるまでの間は両電解水が装置外に出ることを避けなければならない。
【０００４】
さらに、強酸性電解水と強アルカリ性電解水を放出した水洗トイレ用殺菌・洗浄装置内にトイレ貯水タンクに給水された水から一定量給水しなければならない。
【０００５】
また電気分解前は飽和塩水が塩ユニットより水洗トイレ用殺菌・洗浄装置に送り込まれるため、装置内は電解物質溶液となるのでトイレ貯水タンクの水（淡水）に拡散することを避けなければならない。
【０００６】
以上を踏まえて装置化しようとすると給水弁、排水弁、バルブ、逆止弁、フロート弁などの組み合わせや、センサーと電磁弁で制御する方法が考えられるが、トイレ貯水タンク内は日頃さほどメンテナンスされない、容量の限られたスペースに設置する装置である、防水性、耐薬品性は不可欠である等の理由で装置のコンパクト化と同時に故障が発生しやすい複雑な仕組みや電磁弁は避けた単純な仕組みが求められる。
【発明の開示】
【発明が解決しようとする課題】
【０００７】
水洗トイレ用殺菌・洗浄装置を例にとるとトイレ貯水タンクの水位によってスイッチのON,OFF、給水、排水を行なうことにより電解反応を制御する仕組みである。従って給水弁、排水弁が必要になるが電気分解前の塩などの電解物質溶液の拡散を防ぐには水中での給、排水弁の気密性確保が不可欠である。しかも強酸性電解水と強アルカリ性電解水を次項０００８で示す理由によって時間差をつけて放出する必要がある。本発明は通常、弁やバルブで行なう機能を管の構造によって行なう特殊形状パイプに関するものである。
【０００８】
トイレ貯水タンクの水が便器に流されると水洗トイレ用殺菌・洗浄装置で生成された電解水が流れ出るが装置の陽極側にできる殺菌効果の強い次亜塩素酸を含む強酸性電解水は一気に便器に流し、陰極側にできる洗浄効果の高い強アルカリ性電解水はトイレ貯水タンク内に留（とど）め、菌が育たない環境にするプロセスが必要な為、時間差をつけて強アルカリ電解水を排出させる。このことにより装置内の両電極にできる強酸性電解水と強アルカリ性電解水が中和することなく各々の特性を生かして殺菌、消臭、洗浄に効果をあげることが出来る。
【課題を解決するための手段】
【０００９】
本発明は、水洗トイレ用殺菌・洗浄装置のような液体中に設置する装置で給排水弁に変わり水位又は水圧の変化で液体の給排水をし、装置内外の水位又は水圧変化が無い時は両液体間の混合を空気で防ぐことを可能とする特殊形状パイプに関するものである。
【発明の効果】
【００１０】
本発明により水洗トイレ用殺菌・洗浄装置のような液体中に設置する弁やバルブを必要とする装置または容器の仕組みを簡便化でき寸法を抑える可能性がある。
【００１１】
圧力によって開閉する給水弁、排水弁では圧力差が大きい場合には気密性が高いが圧力差が小さい時は気密性が損なわれる欠点がある。本発明は特殊形状パイプ中で空気による遮断を利用しているので双方向の液体の移動を防ぐことが出来る。
【００１２】
説明の為便宜上、本発明の特殊形状パイプを水洗トイレ用殺菌・洗浄装置内に設置することで記述しているが液体中に設置する装置又は容器であれば仕組みにより応用することができる。
【００１３】
たとえば、浴槽、プール、浄化槽、水中プラント、タンカーのバラスト等に設置する装置に応用できる。 
【発明を実施するための最良の形態】
【００１４】
先述０００８の理由により水洗トイレ用殺菌・洗浄装置ではふたつの液体を時間差をつけ放出する必要があるがそのためには次の方法がある。隔膜で仕切った２つの部屋にそれぞれ特殊形状パイプを設置し、パイプの全体の径または排出口の径を片方は太く、もう片方は細くし、流量に差をつける。ゆえに、径の太い方は短時間で流出し径の細いほうは時間をかけて流出する。
【００１５】
［１］形状は図1〜図６のように基本的にH型でありイ、ロで表す2本の管の上部は密閉型、下部は開放型で一方の排水側の管（イ）がもう一方の給水側の管（ロ）より長く排水側の管（イ）の出口部の径が他部分の径よりも細い。［２］H型の２本ある管の内、一方の給水側の管（ロ）は装置内、もう一方の排水側の管（イ）は装置外にでている。このとき特殊形状パイプ全体を接続位置を変えて装置の内側に入れても外側に出してもよい（図６）。また下部の管のカットであるが下向きでも横向きでもよい。［３］本発明の特殊形状パイプで時間差が必要なときは２本用意する。一本は水洗トイレ用殺菌・洗浄装置外に出ている排出部の径を太くして流量を多く、もう一本は排出部の径を細くして流量を少なくし液の排出の時間差をつける。
【００１６】
［１］排出時はサイホンの原理により水洗トイレ用殺菌・洗浄装置内の電解液は（３）に流入して（４）より流出される。（図２）［２］給水時は[1] と逆で（４）より流入し（３）から流出して水洗トイレ用殺菌・洗浄装置内に給水する。（図３）［３］トイレ貯水槽への給水が終わりトイレ貯水槽と水洗トイレ用殺菌・洗浄装置の水位が同じ位置で安定すると特殊形状パイプの上部に溜まっていた空気によってA管（イ）とB管（ロ）の水が遮断される。［４］空気によっての遮断であるので水洗トイレ用殺菌・洗浄装置内に飽和塩水が送られ塩水になっても拡散はおきず、また電気分解により強酸性電解水、強アルカリ性電解水に変化しても外部の水と混ざり合うことはない。
【実施例】
【００１７】
本発明の特殊形状パイプを組み込んだ水洗トイレ用殺菌・洗浄装置を例にとり図面に基づいて説明する。図１；水面が静止・安定している時は、（イ）、（ロ）両管上部内の空気が遮断壁になりA液（電解液）とB液（水）は混ざり合うことなく安定している。
【００１８】
図2；次に水面が下がるとサイホンの原理により（イ）管下部（４）の排出口から電解液（A液）が流出する。
【００１９】
図3；水（B液）がトイレ貯水タンク（２）に補給され水位が上がってくると（4）より水（B液）がはいり水洗トイレ用殺菌・洗浄装置（1）内に水（B液）が入る。当然トイレタンク貯留槽（２）の水位が先に上がり水洗トイレ用殺菌・洗浄装置（１）内の水位は追う形で上がってくる。
【００２０】
図４；排出口より逆流している液体の流れである。水洗トイレ用殺菌・洗浄装置（１）とトイレ貯水タンク（２）は給水が終わるまで水位に差があるが、給水が終わると（１）と（２）の水位が同じ高さになる。
【００２１】
図5；トイレ貯水タンク（２）内に水（B液）の補給が終わりトイレ貯水タンク（２）と水洗トイレ用殺菌・洗浄装置（１）の水位が等しくなったとき特殊形状パイプの（５）と（６）の水位も等しくなり流れが止まる。
【００２２】
流入の際、片方に寄っていた空気が均等になり水（B液）が空気により寸断される。
【００２３】
やがて水洗トイレ用殺菌・洗浄装置（１）内に給水された水（B液）が飽和塩水の補給を受け電気分解することにより電解液（A液）に変化するが水（B液）と電解液（A液）は混ざることはない。
【００２４】
本発明の特殊形状パイプの実施例を述べてきたが、パイプは円形だけに限らず多角形でも同様の効果が得られる。装置又は容器の形状、強度などを考慮した上で多角形の特殊形状パイプも可能である。
【００２５】
図６；００１１（２）で述べたが特殊形状パイプは装置の内側に設置しても装置の外側に設置しても機能する。
【図面の簡単な説明】
【００２６】
【図１】本発明の特殊形状パイプを組み込んだ水洗トイレ用殺菌・洗浄装置をトイレタンク貯留槽に設置した図
【図２】図１の関連で水が流れて水位がさがっていく様
【図３】図２の続きで水が給水され水位があがっていく様
【図４】本発明の特殊形状パイプの外部から給水の際の液体の流れ
【図５】図３の続きで給水が終わり装置内と装置外の水位が安定し ところ
【図６】特殊形状パイプの装置設置例
【符号の説明】
【００２７】
Ａ液    電解液Ｂ液    水１      水洗トイレ用殺菌・洗浄装置２      トイレ貯水タンク３      特殊形状パイプの口  ４      特殊形状パイプの口５      パイプ内の水位６      パイプ内の水位
【図４】
2009084977.tif 000003
【図１】
2009084977.tif 000004
【図２】
2009084977.tif 000005
【図３】
2009084977.tif 000006
【図５】
2009084977.tif 000007
【図６】
2009084977.tif 000008